(57)【要約】本発明は、プレスフェルトを製造する方法、プレスフェルトおよびベース布帛に関する。ベース布帛は、第１の横方向（ＣＭＤ）結合エッジ領域（１１）および第２の横方向結合エッジ領域（１２）を含む少なくとも１つの第１の平面状構成要素（４）を備える。結合エッジ領域（１１、１２）は、互いに重なるように配置され、取り外しできないように互いに取り付けられている。
2006510812.tif 000002
【特許請求の範囲】
【請求項１】
少なくとも以下の工程：
少なくとも１層が、縦方向（ＭＤ）に走行する複数の縦ヤーン（６）および横方向（ＣＭＤ）に走行する横ヤーン（７）から形成される少なくとも１つの第１の平面状構成要素（４）を含み、前記第１の構成要素（４）が第１の横（ＣＭＤ）結合エッジ領域（１１）および第２の横方向結合エッジ領域（１２）を備えるところの布帛基材（２）を形成する工程、
前記第１の構成要素（４）の第１の横（ＣＭＤ）方向結合エッジ領域（１１）および第２の横方向結合エッジ領域（１２）を互いに重なるように配置し、閉じたループの形状を有するベース布帛（２）を形成する工程、および
閉じたループの形状を有するベース布帛に少なくとも１つのバット繊維層（１、３）を取り付ける工程
を含むプレスフェルトを製造する方法であって、
前記バット繊維層（１、３）の取り付け前に、前記結合エッジ領域（１１、１２）を、取り外しできないように、互いに取り付ける工程を含み、
前記取り付けの間に、あらかじめ決められた力（Ｆ）により、前記第１の構成要素（４）の結合エッジ領域（１１、１２）を、重なり合う結合エッジ領域（１１、１２）の厚さ（Ｇ）が前記第１の構成要素（４）の残りの厚さに実質的に対応するように、互いに対してプレスすることを特徴とする方法。
【請求項２】
横ヤーンの密度が前記第１の構成要素（４）の他の部分におけるより小さいこところの少なくとも１つの薄化された結合エッジ領域（１１、１２）を形成することを特徴とする請求項１記載の方法。
【請求項３】
あらかじめ決められた部分（Ｌ）から前記第１の構成要素（４）の少なくとも１つの結合エッジ領域（１１、１２）から横ヤーン（７）を除去することを特徴とする請求項２記載の方法。
【請求項４】
前記第１の構成要素（４）が形成されるとき、前記第１の構成要素（４）の残りよりも小さい密度の横ヤーンを、該構成要素の少なくとも１つの結合エッジ領域（１１、１２）に設けることを特徴とする請求項２記載の方法。
【請求項５】
前記第１の構成要素（４）中に、薄化された第１の結合エッジ領域（１１）および第２の結合エッジ領域（１２）を形成することを特徴とする請求項２ないし４のいずれか１項記載の方法。
【請求項６】
重なり合う結合エッジ領域（１１、１２）を、溶接により互いに取り付けることを特徴とする請求項１ないし５のいずれか１項記載の方法。
【請求項７】
前記結合エッジ領域（１１、１２）が取り外しできないように互いに取り付けられる取り付け領域（１５）を前記重なり合う結合エッジ領域（１１、１２）の部分に設け、前記取り付け領域（１５）と前記第１の構成要素（４）の残りとの間の境界表面（１６）を非直線状にすることを特徴とする請求項１ないし６のいずれか１項記載の方法。
【請求項８】
前記重なり合う結合エッジ領域（１１、１２）の少なくとも部分に、前記結合エッジ領域（１１、１２）が取り外しできないように互いに取り付けられる取り付け領域（１５）を設け、
前記ベース布帛表面のパターンを模するパターンを形成するいくつかの取り付け点（１７、１８）を前記取り付け領域（１５）に設けることを特徴とする請求項１ないし７のいずれか１項記載の方法。
【請求項９】
少なくとも１つの第１の平面状構成要素（４）を形成し、
閉じたループの形状を有する少なくとも１つの第２の構成要素（５）を形成し、
前記第２の構成要素（５）の頂部上に前記第１の構成要素（４）を配置し、
前記第１の構成要素（４）の結合エッジ領域（１１、１２）を重なり結合により接続させる
ことを特徴とする請求項１ないし８のいずれか１項記載の方法。
【請求項１０】
縦方向（ＭＤ）に走行する複数の縦ヤーン（６、８）および横方向（ＣＭＤ）に走行する複数の横ヤーン（７、９）を含み、少なくとも１層が、第１の横方向（ＣＭＤ）結合エッジ領域（１１）および第２の横方向結合エッジ領域（１２）を含む少なくとも１つの第１の平面状構成要素（４）を含み、前記結合エッジ領域（１１、１２）は互いに接続されているところのベース布帛（２）、および
少なくとも１つのバット繊維層（１、３）
を含み、
前記第１の構成要素（４）の前記第１の結合エッジ領域（１１）および前記第２の結合エッジ領域（１２）は互いに重なるように配置され、
前記結合エッジ領域（１１、１２）は、バット繊維層（１、３）の取り付けの前に、取り外しできないように互いに取り付けられており、
前記第１の構成要素（４）の前記結合エッジ領域（１１、１２）は互いに対してプレスされており、
前記重なり合う結合エッジ領域（１１、１２）の厚さ（Ｇ）は、前記第１の構成要素（４）の残りの厚さに実質的に対応することを特徴とする抄紙機のプレスセクションのためのプレスフェルト。
【請求項１１】
横ヤーンの密度が、前記第１の構成要素（４）の残りにおけるよりも前記第１の構成要素（４）の少なくとも１つの結合エッジ領域（１１、１２）においてより小さいことを特徴とする請求項１０記載のプレスフェルト。
【請求項１２】
横ヤーン（７）があらかじめ決められた部分（Ｌ）から前記第１の構成要素（４）の少なくとも１つの結合エッジ領域（１１、１２）から除去されていることを特徴とする請求項１１記載のプレスフェルト。
【請求項１３】
前記第１の構成要素（４）の少なくとも１つの結合エッジ領域（１１、１２）が、製造の間、前記第１の構成要素（４）の残りより、より小さな密度の横ヤーンを備えていることを特徴とする請求項１１記載のプレスフェルト。
【請求項１４】
前記第１の構成要素（４）の結合エッジ領域（１１、１２）が、溶接により互いに取り付けられていることを特徴とする請求項１０ないし１３のいずれか１項記載のプレスフェルト。
【請求項１５】
前記第１の構成要素の結合エッジ領域（１１、１２）の重なり領域の幅が、縦方向（ＭＤ）において５〜２０ｍｍであることを特徴とする請求項１０ないし１４のいずれか１項記載のプレスフェルト。
【請求項１６】
縦方向（ＭＤ）に走行する複数の縦ヤーン（６、８）、
横方向（ＣＤＭ）に走行する複数の横ヤーン、
ベース布帛（２）の少なくとも１つの層中の少なくとも１つの第１の平面状構成要素（４）
を備え、前記第１の構成要素は、少なくとも１つの第１の横方向（ＣＭＤ）結合エッジ領域（１１）および第２の横方向結合エッジ領域（１２）を含み、前記結合エッジ領域（１１、１２）は互いに接続されており、
前記第１の構成要素の第１の結合エッジ領域（１１）および第２の結合エッジ領域（１２）は互いに重なるように配置され、
前記結合エッジ領域（１１、１２）は、取り外しできないように互いに取り付けられており、
前記第１の構成要素（４）の結合エッジ領域（１１、１２）は互いに対してプレスされており、
前記重なり合う結合エッジ領域（１１、１２）の厚さ（Ｇ）は、前記第１の構成要素（４）の残りの厚さに実質的に対応することを特徴とするプレスフェルトのためのベース布帛。
【請求項１７】
前記第１の構成要素（４）の少なくとも１つの結合エッジ領域（１１、１２）が、前記第１の構成要素（４）の残りよりも小さな密度の横ヤーンを有することを特徴とする請求項１６記載のベース布帛。
【請求項１８】
前記第１の構成要素（４）の結合エッジ領域（１１、１２）が、溶接により互いに取り付けられていることを特徴とする請求項１６または１７記載のベース布帛。
【発明の詳細な説明】
【発明の開示】
【０００１】
発明の背景
本発明は、プレスフェルトを製造する方法であって、少なくとも以下の工程：少なくとも１層が、縦方向に走行する複数の縦ヤーンおよび横方向に走行する横ヤーンから形成される少なくとも１つの第１の平面状構成要素を含むベース布帛を形成し、前記第１の構成要素に第１の横方向結合エッジ領域および第２の横方向結合エッジ領域を設ける工程、前記第１の構成要素の第１の横方向結合エッジ領域および第２の横方向結合エッジ領域をそれらが互いに重なるように配置する工程、閉じたループの形状を有するベース布帛を形成する工程、閉じたループの形状を有するベース布帛に少なくとも１つのバット繊維層を取り付ける工程、前記バット繊維層の取り付け前に、前記結合エッジ領域を、取り外しできないように、互いに取り付ける工程を含む方法に関する。
【０００２】
本発明は、さらに、抄紙機のプレスセクションのためのプレスフェルトであって、縦方向に走行する複数の縦ヤーンおよび横方向に走行する複数の横ヤーンを含み、少なくとも１層が、第１の横方向結合エッジ領域および第２の横方向結合エッジ領域を含む少なくとも１つの第１の平面状構成要素を含み、前記結合エッジ領域は互いに接続されているところのベース布帛、および少なくとも１つのバット繊維層を含み、前記第１の構成要素の前記第１の結合エッジ領域および前記第２の結合エッジ領域はそれらが互いに重なるように配置され、前記結合エッジ領域は、バット繊維層の取り付けの前に、取り外しできないように互いに取り付けられているプレスフェルトに関する。
【０００３】
本発明は、さらに、プレスフェルトのためのベース布帛であって、縦方向に走行する複数の縦ヤーン、横方向に走行する複数の横ヤーン、ベース布帛の少なくとも１つの層中の少なくとも１つの第１の平面状構成要素を備え、前記第１の構成要素は、少なくとも１つの第１の横方向結合エッジ領域および第２の横方向結合エッジ領域を含み、前記結合エッジ領域は互いに接続されており、前記第１の構成要素の第１の結合エッジ領域および第２の結合エッジ領域は互いに重なるように配置され、前記結合エッジ領域は、取り外しできないように互いに取り付けられているベース布帛に関する。
【０００４】
プレス構造に依存して、抄紙機のプレスセクションは、乾燥されるべきウエブの一方または両方の側に、ウエブの中の水がプレス相で吸収され得るプレスフェルトを用いる。プレスフェルトの目的は、水をウエブに戻すことなく水をフェルトの構造中に輸送することである。実際のプレスでは、紙ウエブは、フェルト上で、２つのシリンダーの間の開口、すなわちニップに運ばれる。フェルトの構造は、ニップにおいてフェルトへの水の良好な吸収を可能とすべきである。プレスフェルトは、例えば、水のための必要な空間をフェルトに提供するベース布帛を含む。平滑なフェルト表面を獲得するために、バット繊維が、少なくともウエブに面するベース布帛表面上に取り付けられている。ベース布帛は、典型的には、製織により製造される。ベース布帛は、エンドレスループとして直接製織され得る。しかしながら、その場合には、織機の幅が、製造されるベース布帛の長さを制限する。加えて、布帛は、平織りで製織され得る。これは、シームループを備えるベース布帛を製造することを可能とする。ベース布帛の結合末端を接続することにより、エンドレスループの形状を有するベース布帛を形成することができる。しかしながら、シームループは、乾燥されるべきウエブ上にマーキングを引き起こし得る。加えて、バット繊維のシームループを備える領域への接着も、問題を提起し得る。
【０００５】
発明の簡単な説明
本発明の目的は、新規の改善されたプレスフェルトを製造する方法、プレスフェルトおよびプレスフェルトのためのベース布帛を提供することである。
【０００６】
本発明による方法は、重なり合う結合エッジ領域の厚さが第１の構成要素の残りの厚さに実質的に対応するように、取り付けの間にあらかじめ決められた力で第１の構成要素の結合エッジ領域を互いに対してプレスすることを特徴とする。
【０００７】
本発明によるプレスフェルトは、第１の構成要素の結合エッジ領域が互いに対してプレスされ、重なり合う結合エッジ領域の厚さが第１の構成要素の残りの厚さに実質的に対応することを特徴とする。
【０００８】
本発明によるベース布帛は、第１の構成要素の結合エッジ領域が互いに対してプレスされ、重なり合う結合エッジ領域の厚さが第１の構成要素の残りの厚さに実質的に対応することを特徴とする。
【０００９】
本発明は、ベース布帛が第１の横方向結合エッジ領域および第２の横方向結合エッジ領域を備える少なくとも１つの平面状構成要素を含むという考えに基づいている。結合エッジ領域は、互いに重なり合うように配置され、重ねられた後、それらは取り外しできないように（undetachably）互いに取り付けられる（attached）。そのような重なり結合は、シームループおよび他の同様の結合部材を不必要にする。
【００１０】
本発明の利点は、平面状構成要素の製造を容易にし、高速化することである。該構成要素が織機中にシームループを備えている必要が無いからである。結合エッジを結合するためにシームループが必要無いので、結合エッジは平面状構成要素中のどこにでも形成され得る。しかしながら、シームループは、製織時にすでに形成されていなければならない。加えて、本発明による結合は、バット繊維を取り付けることができる良好な基材を提供する。結合もしっかりしたものであり、速やかに製造される。結合の実施の自動化は、比較的容易である。
【００１１】
本発明の好ましい態様は、平面状構成要素の少なくとも１つの結合エッジ領域が、横ヤーンの密度が該構成要素の末端から出発してあらかじめ決められたセクションにおいて該構成要素の残りの部分におけるよりも小さいところの薄化部分を備えるという考えに基づいている。この薄化のために、重なり結合部の厚さは、それが該構成要素構造の残りとは有意に違わないように減少させることができる。薄化は、また、重なり結合部の透過性が該構成要素構造の残りと有意に違わないよう、結合部の透過性にも影響を与える。
【００１２】
本発明の好ましい態様は、薄化が、該構成要素の製造の後、結合エッジ領域からいくつかの横ヤーンを除去することにより行われるという考えに基づいている。
【００１３】
本発明の好ましい態様は、平面状構成要素の製造の間該構成要素の残りにおけるよりも結合エッジ領域において、より少数の横ヤーンが配置されるという考えに基づいている。
【００１４】
本発明の好ましい態様は、重なり合う結合エッジ領域が溶接により互いに取り付けられるという考えに基づいている。
【００１５】
本発明の好ましい態様は、少なくとも、重なり合う結合エッジ領域を有する部分が取り外しできないように互いに取り付けられている取り付け領域を備えるという考えに基づいている。加えて、取り付け領域と第１の構成要素の残りとの間の境界表面は、非直線的に作られる。境界表面は明確に区別可能ではないので、マーキングは回避され得る。
【００１６】
本発明の好ましい態様は、少なくとも、重なり合う結合エッジ領域を有する部分が、結合エッジ領域が取り外しできないように互いに取り付けられている取り付け領域を備え、取り付け領域はいくつかの取り付け点を備え、その取り付け点は、ベース布帛表面上のパターンを模しているパターンを形成するという考えに基づいている。こうしてマーキングを解消することができる。さらに、取り付け点のために、取り付け領域における透過性は、ベース布帛の残りにおける透過性に実質的に対応し得る。
【００１７】
本発明は、添付の図面においてより詳細に記載されるであろう。
【００１８】
明確さのために、図面は単純化された様式で本発明を例示する。同様の参照番号は、図面において同様の部分を指す。
【００１９】
発明の詳細な説明
図１は、縦方向ＭＤにおける断面として本発明によるプレスフェルトを示す。この図に示されるフェルトは、互いに取り付けられた４つの層を含む。ウエブに面するフェルト表面Ａ上で、最も外側の層として第１のバット繊維層１が存在する。第１のバット繊維層の下に、２つの構成要素からなるベース布帛２が存在し、さらにフェルトの底部に、すなわち抄紙機に面する表面Ｂ上に、第２のバット繊維層３が存在する。第１のバット繊維層１は、ウエブ表面上へのマーキング、すなわちベース布帛の織りにより引き起こされるパターンの発生を防ぐ。加えて、フェルトの水保持特性もまたバット繊維により影響され得る。第１のバット繊維層１は、２以上の薄層からなり得、その場合、バット繊維層１の表面上により微細なバット繊維が存在し、その下により粗いバット繊維が存在し得る。フェルトの底部の第２のバット繊維層３は必要ない。
【００２０】
ベース布帛２は、１以上の重畳された（superimposed）構成要素４および５を含み得る。構成要素４および５は異なる相で製織され、バット繊維層１、３が結合される前に他方の頂部上に配置され得る。図１によるベース布帛２は、１層表面構成要素４および２層底部構成要素５を含む。したがって、ベース布帛２は、積層構造を有する。しかしながら、ベース布帛２は、１つのみの構成要素から成り立ち得るか、または他方、２以上の重畳構成要素が存在し得ることに注意すべきである。ベース布帛中の第１の構成要素４は、適切な織りを用いて、縦方向ＭＤに走行する縦ヤーン６および横方向ＣＭＤに走行する横ヤーン７から織られる。対応して、第２の構成要素５は、縦方向ＭＤに走行する縦ヤーン８および横方向ＣＭＤに走行する横ヤーン９から織られる。明確さのために、図は、層に属するヤーンの一部しか例示しない。図１による解決策において、ヤーン６、７および８は、モノフィラメントであり、ヤーン９は諸撚（plied）モノフィラメントである。ヤーンについての構造および材料は、ケースバイケースで選択され得る。したがって、それらは、モノフィラメント、諸撚モノフィラメントまたはマルチフィラメントであり得る。ヤーンは、ポリアミド（ＰＡ）のような好適なプラスチック材料で作ることができる。
【００２１】
図２は、閉じたループの形状を有するベース布帛２を示す。図から明らかであるように、ベース布帛２は、ベース布帛２の第１の横方向結合エッジ領域１１および第２の横方向結合エッジ領域１２を互いに接続する横方向ＣＭＤのシーム領域１０を含む。ベース布帛の少なくとも１層が互いの延長部分に接続されるいくつかの平面状構成要素から形成され得、その場合、いくつかの横方向シーム領域１０が存在する。閉じたループの形状を有するベース布帛２が形成された後、それは、熱処理することができ、それのために意図されるバット繊維層は、例えば、ニードリングにより取り付けることができる。代わりに、ベース布帛２の構成要素は、組み立ての前に熱で処理することができる。バット繊維の取り付けは、シーム領域１０の強度を増加させ得る。
【００２２】
図３〜図５は、ベース布帛２を形成する１つの方法を示す。図３は、第２のベース布帛２の構成要素５を示し、それは、閉じたループの形状を有する要素として製造される。図４は、第１のベース布帛２の構成要素４を示し、それは平面要素に形づくられ、その幅はプレスフェルトの幅に実質的に対応し、該構成要素は第１の結合エッジ領域１１および第２の結合エッジ領域１２を含む。構成要素４および５は、別々の相での織りにより製造することができる。ベース布帛２は、閉じたループの形状を有する第２の構成要素５の頂部上に第１の平面状構成要素４を配置することにより組み立てられる。第１の構成要素４の結合エッジ領域１１および１２は、ある決められた距離で重なるように配置され、その後、それらは、互いに取り付けられる。取り付けは、接着剤、ニードリング、溶融、または溶接により行うことができる。結合エッジ領域１１および１２の構造は、構成要素４の構造の残りに対応し得るか、またはそれらは、後に図７〜図１３から明らかとなるであるようにより薄い構造を有し得る。加えて、結合エッジ領域１１および１２は、また、第２の構成要素５にも取り付けることができる。
【００２３】
図５に示される構造の利点は、均一な第２の構成要素５が、操作中縦方向ＭＤにおいて供される力に良好に耐えるということである。その場合、第１の構成要素４の中のシーム領域１０は操作の間縦方向ＭＤで発生する力に耐える必要が無く、しかし、製造プロセスで発生する機械的応力に耐えるには十分であり、そのようにしてベース布帛２の取り扱いを容易にする。密度および表面特性のようなベース布帛２の他の特性は、第１の構成要素４により影響され得る。第１の平面状構成要素４は、ループ形の構成要素よりも製造するのが容易である。加えて、平面状構成要素４についての構造と特性を選択するためにいくつかの別形態が存在する。
【００２４】
図６〜図８は、横方向ＣＭＤシーム領域１０を形成する１つの方法を示す。図６は、平面状構成要素４の第１の結合エッジ領域１１および第２の結合エッジ領域１２を示す。図７から明らかであるように、横ヤーン７’は、結合エッジ領域１２の末端から出発するシーム領域１０の幅Ｌに対応する第２の結合エッジ領域１２の部分Ｌから除去することができる。除去されるべきヤーン７’の数は、例えば、１〜１０であり得る。除去されるべきヤーン７’の数は、例えば、構成要素４のヤーン厚さおよび織りに依存する。部分Ｌの長さは、２〜１００ｍｍで変化し得る。好ましくは、部分Ｌの長さは、５〜２０ｍｍである。ヤーンが除去された結合エッジ領域１２は、縦ヤーン６のみを含む。この後、第２の結合エッジ領域１２は、構成要素４の表面に対して横方向である方向Ｈにおいて、図８に示されるように、第１の結合エッジ領域１１に重なるように配置され得る。この後、結合エッジ領域１１および１２は、互いに取り付けることができる。取り付けは、超音波溶接により行うことができる。溶接の間、結合エッジ領域１１および１２は、溶接装置の中に含まれる対向表面１３および１４の間で互いに対してプレスされ得る。溶接装置は、溶接の間横ＣＭＤ方向に巻回され得る円盤状の対向表面１３、１４を含み得る。代わりに、対向表面は、徐々に除去され得る。対向する表面の形態は、図１４〜図１８に示される異なるシーム形状を獲得するようにケースバイケースの基準で選択され得る。明確さのために、対向する表面は、図８における構成要素の表面ＡおよびＢからある距離で示される。プレス力Ｆは、構成要素４がシーム領域１０において少なくともわずかに圧縮されるように決定され得、その場合、シーム領域厚さＧは、構成要素４における他の部分の厚さと実質的に異ならない。さらに、圧縮は、溶接された部分を互いに取り付けることに寄与する。圧縮は、他の溶接および取り付け技術においてもまた用いられ得る。１つの実現可能な代替策は、少なくとも１つの結合エッジ領域１１、１２を、該領域が重畳される前に、あらかじめ圧縮することである。
【００２５】
図９は、シーム領域９の上面図である。明確さのために、構成要素４の第２の結合エッジ領域１２は、図９〜図１３において太い線により示されている。シーム領域１０の幅は、好ましくは、５ないし２０ｍｍである。
【００２６】
図１０は、構成要素４の第１の結合エッジ領域１１および第２の結合エッジ領域１２の両方が、それらから横方向ヤーン７を除去することにより薄くされる解決策を示す。ヤーン７は、好ましくは、約５〜２０ｍｍの部分から除去され得る。この後、結合エッジ領域１１および１２は、図１１に示されるように、重なるように配置され、その場合、第１の結合エッジ領域１１および第２の結合エッジ領域１２の縦ヤーンは、シーム領域１０において、互いに対して隣にあるか、他の頂部上にあるかである。この後、結合エッジ領域１１および１２は、取り外しできないように互いに取り付けられる。結合エッジ領域１１、１２は、等しい長さを有し得るが、しかしいくつかの場合には、それらは異なる長さのものであり得る。
【００２７】
図１２は、本発明の重なり結合のための薄くされた結合エッジ領域１１および１２を形成する更なる方法を示す。代わりに、１つの結合エッジ領域１１、１２のみが薄くされる。薄化は、構成要素４の他の部分におけるよりも結合エッジ領域１１、１２においてより緻密でなく横ヤーンを織ることにより行うことができる。結合エッジ領域１１、１２における横ヤーンの密度は、５０ヤーン／１０ｃｍであり得、構成要素４の他の部分において、密度は例えば、１００ヤーン／１０ｃｍであり得る。いくつかの場合において、横ヤーンの密度は、構成要素の末端から出発して徐々に増加し、最終的には構成要素構造の残りに対応し得る。図１３は、結合エッジ領域１１、１２が重なるように配置された後の状況を示している。
【００２８】
図１４〜図１６は、取り付け領域１５のいくつかの形状を例示する。取り付け領域１５とは、結合エッジ領域１１、１２が互いに取り付けられているシーム領域１０における部分及びまわりの部分を指す。超音波溶接、レーザー溶接、高周波溶接、ホットウエッジ溶接、溶融溶接、または少なくとも主としてプラスチック材料で作られているヤーンを結合させるのに好適ないずれか他の溶接方法のようなさまざまの溶接技術を取り付けに用いることができる。加えて、取り付けは、例えば、縫製または接着剤の使用により行うことができる。取り付け領域１５と構成要素の残りとの間の境界表面１６は、取り付け領域１５のために好適な形状を選択することにより、該構造からより区別しにくくすることができる。境界表面１６は、図１４に示されるように、直線状であり得るか、または図１５および図１６に示されるように、非直線状であり得る。図１５において、境界表面１６は、のこぎり歯状になっており、図１６は、ランダムな形状を有する境界表面１６を示す。
【００２９】
取り付けは、図１７に示されるように、実質的に取り付け領域１５全体にわたって行うことができる。代わりに、特に溶接技術が用いられるときには、取り付け領域１５は、所望の形状のスポット状取り付け点１７またはスポット状もしくは連続状取り付け点１８を備え得る。さらに、格子状取り付け点１９を用いることも実現可能であり、その場合、溶接継ぎ目のパターンは、実質的に織りのパターンに対応し得る。その場合には、溶接継ぎ目は、該構造の残りからは識別不可能である。取り付け点は、その数、形状、サイズまたは他の特性が取り付け領域１５において変化するように形成することができる。したがって、取り付け点はスライドするように（slidingly）変化し得、その場合には、取り付け領域１５は、容易には区別し得ない。加えて、取り付け点は、取り付け領域１５における透過性が、構成要素構造の残りにおける透過性と実質的に異ならないように設計することができる。バット繊維がニードル加工されるとき、透過性に影響を与える開口は、取り付け領域中に形成される。
【００３０】
さらに、取り付けは、境界表面１６でのみ行うことができる。境界表面１６の形状は、状況にしたがって選択することができる。
【００３１】
取り付けが溶接技術によりなされるとき、必要であれば、１以上の追加のヤーン、またはより低温で溶融する材料のような他の使いの材料またはレーザー溶接の吸収を改善する追加の材料を付着領域１５にもたらすことができる。
【００３２】
図１９は、ベース布帛２を形成するためのさらに別の代替案を示す。第１の平面状構成要素４は、第２の構成要素５の１つの表面上に、この場合には構成要素の頂部上に配置される。第１の結合エッジ領域１１および第２の結合エッジ領域１２は重畳されるが、しかし、バット繊維の取り付け前には互いに取り付けられない。その代わりに、第１の結合エッジ領域１１は、例えばこの出願において記載される取り付け方法を用いて、取り付け領域１５において、取り外しできないように第２の構成要素５に取り付けられる。他方、第２の結合エッジ領域１２は、取り付けられる必要はまったく無いが、しかし、それは、シーム領域１０において１種のシームフラップ２０を形成する。しかしながら、いくつかの場合には、取り付けは、ポイント２１および２２において行うことができる。たとえ、１つの結合エッジ領域１１のみが取り付けられたとしても、このことは、ベース布帛２の取り扱いを明確に容易にするであろう。重畳された結合エッジ領域１１および１２を有する重合結合もまたこの態様における本質的な特徴である。第２の構成要素５は、閉じたループの形状で織られ得る。代わりに、第２の構成要素５は、例えば、織りにより１以上の平面状構成要素から形成され得る。その場合には、平面状構成要素は、重合結合または好適な結合部材により閉じたループに接続される。
【００３３】
さらに、平面要素４に、横ヤーン７’が構成要素４の他の部分における横ヤーン７とは異なっているところの結合エッジ領域１１、１２を設けることが実現可能である。結合エッジ領域１１、１２は、異なる寸法、材料および構造を有する横ヤーンを含み得る。
【００３４】
上記解決策は、また、結合エッジ領域を形成するように組み合わせることができる。
【００３５】
図面および関連する記載は、本発明の概念を例示することのみを意図する。本発明の詳細は、特許請求の範囲の範囲内で変更し得る。
【図面の簡単な説明】
【００３６】
【図１】縦方向ＭＤにおける本発明によるプレスフェルトの模式的断面図を例示する。
【図２】本発明によるベース布帛の模式的斜視図である。
【図３】本発明によるベース布帛の形成の模式的例示である。
【図４】本発明によるベース布帛の形成の模式的例示である。
【図５】本発明によるベース布帛の形成の模式的例示である。
【図６】縦方向ＭＤにおける断面としての本発明によるベース布帛要素のための横方向シームを形成する方法を模式的に例示する。
【図７】縦方向ＭＤにおける断面としての本発明によるベース布帛要素のための横方向シームを形成する方法を模式的に例示する。
【図８】縦方向ＭＤにおける断面としての本発明によるベース布帛要素のための横方向シームを形成する方法を模式的に例示する。
【図９】図８によるシームの模式的上面図である。
【図１０】本発明によるシームを形成する第２の方法の模式的上面図である。
【図１１】本発明によるシームを形成する第２の方法の模式的上面図である。
【図１２】本発明によるシームを形成する第３の方法の模式的上面図である。
【図１３】本発明によるシームを形成する第３の方法の模式的上面図である。
【図１４】付着領域についての実現可能な形態の模式的上面図である。
【図１５】付着領域についての実現可能な形態の模式的上面図である。
【図１６】付着領域についての実現可能な形態の模式的上面図である。
【図１７】溶接標印のための実現可能な形態の模式的上面図である。
【図１８】溶接標印のための実現可能な形態の模式的上面図である。
【図１９】ベース布帛を形成するさらに別の方法を模式的に例示する。
【図１】
2006510812.tif 000003
【図２】
2006510812.tif 000004
【図３】
2006510812.tif 000005
【図４】
2006510812.tif 000006
【図５】
2006510812.tif 000007
【図６】
2006510812.tif 000008
【図７】
2006510812.tif 000009
【図８】
2006510812.tif 000010
【図９】
2006510812.tif 000011
【図１０】
2006510812.tif 000012
【図１１】
2006510812.tif 000013
【図１２】
2006510812.tif 000014
【図１３】
2006510812.tif 000015
【図１４】
2006510812.tif 000016
【図１５】
2006510812.tif 000017
【図１６】
2006510812.tif 000018
【図１７】
2006510812.tif 000019
【図１８】
2006510812.tif 000020
【図１９】
2006510812.tif 000021
【手続補正書】
【提出日】平成16年12月17日(2004.12.17)
【手続補正１】
【補正対象書類名】特許請求の範囲
【補正対象項目名】全文
【補正方法】変更
【補正の内容】
【特許請求の範囲】
【請求項１】
少なくとも以下の工程：
少なくとも１層が、縦方向（ＭＤ）に走行する複数の縦ヤーン（６）および横方向（ＣＭＤ）に走行する横ヤーン（７）から形成される少なくとも１つの第１の平面状構成要素（４）を含み、前記第１の構成要素（４）が第１の横（ＣＭＤ）結合エッジ領域（１１）および第２の横方向結合エッジ領域（１２）を備えるところの布帛基材（２）を形成する工程、
前記第１の構成要素（４）の第１の横（ＣＭＤ）方向結合エッジ領域（１１）および第２の横方向結合エッジ領域（１２）を互いに重なるように配置し、閉じたループの形状を有するベース布帛（２）を形成する工程、および
閉じたループの形状を有するベース布帛に少なくとも１つのバット繊維層（１、３）を取り付ける工程
を含むプレスフェルトを製造する方法であって、
前記バット繊維層（１、３）の取り付け前に、前記結合エッジ領域（１１、１２）を、取り外しできないように、互いに取り付ける工程を含み、
横ヤーンの密度が前記第１の構成要素（４）の他の部分におけるより小さいこところの少なくとも１つの薄化された結合エッジ領域（１１、１２）を形成し、
前記ベース布帛（２）の残りにおける透過性に実質的に対応する透過性を前記重なり合う結合エッジ領域（１１、１２）中に設け、
前記取り付けの間に、あらかじめ決められた力（Ｆ）により、前記第１の構成要素（４）の結合エッジ領域（１１、１２）を、重なり合う結合エッジ領域（１１、１２）の厚さ（Ｇ）が前記第１の構成要素（４）の残りの厚さに実質的に対応するように、互いに対してプレスすることを特徴とする方法。
【請求項２】
あらかじめ決められた部分（Ｌ）から前記第１の構成要素（４）の少なくとも１つの結合エッジ領域（１１、１２）から横ヤーン（７）を除去することを特徴とする請求項１記載の方法。
【請求項３】
前記第１の構成要素（４）が形成されるとき、前記第１の構成要素（４）の残りよりも小さい密度の横ヤーンを、該構成要素の少なくとも１つの結合エッジ領域（１１、１２）に設けることを特徴とする請求項１記載の方法。
【請求項４】
前記第１の構成要素（４）中に、薄化された第１の結合エッジ領域（１１）および第２の結合エッジ領域（１２）を形成することを特徴とする請求項１ないし３のいずれか１項記載の方法。
【請求項５】
重なり合う結合エッジ領域（１１、１２）を、溶接により互いに取り付けることを特徴とする請求項１ないし４のいずれか１項記載の方法。
【請求項６】
前記結合エッジ領域（１１、１２）が取り外しできないように互いに取り付けられる取り付け領域（１５）を前記重なり合う結合エッジ領域（１１、１２）の部分に設け、前記取り付け領域（１５）と前記第１の構成要素（４）の残りとの間の境界表面（１６）を非直線状にすることを特徴とする請求項１ないし６のいずれか１項記載の方法。
【請求項７】
前記重なり合う結合エッジ領域（１１、１２）の少なくとも部分に、前記結合エッジ領域（１１、１２）が取り外しできないように互いに取り付けられる取り付け領域（１５）を設け、
前記ベース布帛表面のパターンを模するパターンを形成するいくつかの取り付け点（１７、１８）を前記取り付け領域（１５）に設けることを特徴とする請求項１ないし６のいずれか１項記載の方法。
【請求項８】
少なくとも１つの第１の平面状構成要素（４）を形成し、
閉じたループの形状を有する少なくとも１つの第２の構成要素（５）を形成し、
前記第２の構成要素（５）の頂部上に前記第１の構成要素（４）を配置し、
前記第１の構成要素（４）の結合エッジ領域（１１、１２）を重なり結合により接続させる
ことを特徴とする請求項１ないし７のいずれか１項記載の方法。
【請求項９】
縦方向（ＭＤ）に走行する複数の縦ヤーン（６、８）および横方向（ＣＭＤ）に走行する複数の横ヤーン（７、９）を含み、少なくとも１層が、第１の横方向（ＣＭＤ）結合エッジ領域（１１）および第２の横方向結合エッジ領域（１２）を含む少なくとも１つの第１の平面状構成要素（４）を含み、前記結合エッジ領域（１１、１２）は互いに接続されているところのベース布帛（２）、および
少なくとも１つのバット繊維層（１、３）
を含み、
前記第１の構成要素（４）の前記第１の結合エッジ領域（１１）および前記第２の結合エッジ領域（１２）は互いに重なるように配置され、
前記結合エッジ領域（１１、１２）は、バット繊維層（１、３）の取り付けの前に、取り外しできないように互いに取り付けられており、
横ヤーンの密度が、前記第１の構成要素（４）の残りにおけるよりも前記第１の構成要素（４）の少なくとも１つの結合エッジ領域（１１、１２）においてより小さく、
前記第１の構成要素（４）の前記結合エッジ領域（１１、１２）は互いに対してプレスされており、
前記重なり合う結合エッジ領域（１１、１２）の厚さ（Ｇ）は、前記第１の構成要素（４）の残りの厚さに実質的に対応し、
前記重なり合う結合エッジ領域（１１、１２）における透過性が、前記ベース布帛（２）の残りの透過性に実質的に対応する
ことを特徴とする抄紙機のプレスセクションのためのプレスフェルト。
【請求項１０】
横ヤーン（７）があらかじめ決められた部分（Ｌ）から前記第１の構成要素（４）の少なくとも１つの結合エッジ領域（１１、１２）から除去されていることを特徴とする請求項９記載のプレスフェルト。
【請求項１１】
前記第１の構成要素（４）の少なくとも１つの結合エッジ領域（１１、１２）が、製造の間、前記第１の構成要素（４）の残りより、より小さな密度の横ヤーンを備えていることを特徴とする請求項９記載のプレスフェルト。
【請求項１２】
前記第１の構成要素（４）の結合エッジ領域（１１、１２）が、溶接により互いに取り付けられていることを特徴とする請求項９ないし１１のいずれか１項記載のプレスフェルト。
【請求項１３】
前記第１の構成要素の結合エッジ領域（１１、１２）の重なり領域の幅が、縦方向（ＭＤ）において５〜２０ｍｍであることを特徴とする請求項９ないし１２のいずれか１項記載のプレスフェルト。
【請求項１４】
縦方向（ＭＤ）に走行する複数の縦ヤーン（６、８）、
横方向（ＣＤＭ）に走行する複数の横ヤーン、
ベース布帛（２）の少なくとも１つの層中の少なくとも１つの第１の平面状構成要素（４）
を備え、前記第１の構成要素は、少なくとも１つの第１の横方向（ＣＭＤ）結合エッジ領域（１１）および第２の横方向結合エッジ領域（１２）を含み、前記結合エッジ領域（１１、１２）は互いに接続されており、
前記第１の構成要素の第１の結合エッジ領域（１１）および第２の結合エッジ領域（１２）は互いに重なるように配置され、
前記結合エッジ領域（１１、１２）は、取り外しできないように互いに取り付けられており、
前記第１の構成要素（４）の少なくとも１つの結合エッジ領域（１１、１２）は、前記第１の構成要素（４）の残りよりも小さい密度の横ヤーンを有し、
前記第１の構成要素（４）の結合エッジ領域（１１、１２）は、互いに対してプレスされており、
前記重なり合う結合エッジ領域（１１、１２）の厚さ（Ｇ）は、前記第１の構成要素（４）の残りの厚さに実質的に対応し、
前記重なり合う結合エッジ領域（１１、１２）の透過性は、前記布帛（２）の残りの透過性に実質的に対応することを特徴とするプレスフェルトのためのベース布帛。
【請求項１５】
前記第１の構成要素（４）の結合エッジ領域（１１、１２）が、溶接により互いに取り付けられていることを特徴とする請求項１４記載のベース布帛。
【国際調査報告】
2006510812.tif 000022
2006510812.tif 000023
2006510812.tif 000024